(57)【要約】【課題】本発明はカクテルコップを開示した。【解決手段】コップ主体とお酒を入れることができる入れチャンバを含み、前記入れチャンバの下端壁には上方に開口した気圧チャンバが設置され、前記気圧チャンバの中には前記気圧チャンバと前記入れチャンバとの連係を遮断する隔て膜が設置され、前記気圧チャンバの左端壁の中には移動溝が設置され、前記移動溝の中には移動板が設置され、本装置は構造が簡単であり、操作が便利であり、お酒又はカクテルコップに嵌められた果物が残した果汁を直接に一番下側にガイドして流れさせることができ、カクテルコップの手で持っているところを通さなく、使用者がコップを持つ時に果汁又はお酒によって手に与えられた影響を感じないことができ、それによりカクテルを味わうことに影響を及ぼさない。【選択図】図１
2020175160.tif 000002
【特許請求の範囲】
【請求項１】
正面視で、コップ主体とお酒を入れることができる入れチャンバを含み、前記入れチャンバの下端壁には上方に開口した気圧チャンバが設置され、前記気圧チャンバの中には前記気圧チャンバと前記入れチャンバとの連係を遮断する隔て膜７が設置され、前記気圧チャンバの左端壁の中には移動溝が設置され、前記移動溝の中には移動板が設置され、また前記移動溝の中には前記移動板を復帰させることができる移動ばねが設置され、前記移動溝の下端壁の中には触発ブロックが設置され、前記コップ主体の中には流れガイド機構が設置され、前記流れガイド機構は上端が前記コップ主体と連結された環状膜を含み、前記コップ主体の中には外部空間と連通している四つの回転チャンバが設置され、前記回転チャンバの中には上端が前記環状膜の下端と連結された回転ロッドが設置され、前記回転チャンバの片側端壁の中には回転溝に連通している持ち上げ溝が設置され、前記持ち上げ溝の中には持ち上げ板と前記持ち上げ板を復帰連動させることができる昇降ばねとが設置され、前記持ち上げ溝の片側端壁の中には押し出しチャンバが設置され、前記押し出しチャンバの中には前記回転ロッドの上端を外側へ押し出すことができる押し出しロッドが設置され、前記持ち上げ板の中には前記押し出しロッドに貫通されることができる貫通穴が設置され、前記環状膜の上側には上下端がいずれも外部空間に連通しており、且つ下端が前記コップ主体の下側の空間にと連通している流れガイドパイプが設置され、前記コップ主体の中にはまた前記流れガイド機構を運動させることを制御できる昇降機構が設置され、前記昇降機構は前記回転チャンバの下端壁の中に位置しており、また上方に開口した昇降チャンバを含み、前記昇降チャンバの中には上端が前記回転チャンバの中に位置している昇降ブロックが設置され、前記昇降ブロックの中には前記昇降チャンバに連通しているばね溝が設置され、前記ばね溝の中には位置制限板と前記位置制限板を復帰させることができる位置制限ばねとが設置され、前記昇降ブロックの下端には下押し板が固定的に連結され、前記昇降チャンバの下端壁の中には回転チャンバが設置され、前記下押し板の下端には下端が前記回転チャンバの中に位置している下押しロッドが固定され、前記回転チャンバの前後端壁の間には回転軸が固定的に連結され、前記回転軸にはトーションばねによって連結されたロールが設置され、前記ロールにはロープが巻き付いており、前記ロープの一端が前記下押しロッドの下端に下方へ押された後に前記押し出しロッドの一端と連結され、装置の作用は、前記昇降機構が前記回転ロッドを制御して外側へ押し出し、それにより前記環状膜が外側へ広まり、上側のコップの壁から残された液体が下方へ流れ続けることを防止することであることを特徴とするカクテルコップ。
【請求項２】
前記流れガイド機構はまた前記昇降ブロックの上端と連結された昇降板を含み、前記昇降板の上端には前記回転ロッドの下端を収納する回転溝が設置され、前記回転溝の前後端壁の間には前記回転ロッドを貫通しており、且つ前記回転ロッドと回転できるように連結された一つの回転軸が回転できるように連結され、前記昇降板の片側端面が前記持ち上げ板の片側端面と摩擦によって連結され、前記押し出しチャンバの中には電磁ブロックが設置され、前記流れガイド機構の作用は前記コップ主体の上側からコップの壁に沿って滴り落ちる液体を前記流れガイドパイプを経由して底部に流し、前記コップ主体の中段に影響を与えないことであることを特徴とする請求項１に記載のカクテルコップ。
【請求項３】
前記昇降機構はまた前記昇降チャンバの片側端壁の中に位置している持ち上げチャンバを含み、前記持ち上げチャンバの下端壁には前記触発ブロックに制御される電磁石が設置され、前記電磁石の上側には一端が前記昇降ブロックと固定的に連結された磁石が設置され、前記昇降機構の作用は前記電磁石の制御の下で前記昇降ブロックを制御して上昇させることであることを特徴とする請求項１に記載のカクテルコップ。
【発明の詳細な説明】
【技術分野】
【０００１】
本発明はコップ分野に関わり、具体的にはカクテルコップである。
【背景技術】
【０００２】
今の段階には、カクテルを飲むとき、常にカクテルコップの壁に果物が嵌めてあり、ある果物はコップの壁に沿ってその果汁が滴り落ち、時にはお酒もコップの壁に残り、人々はカクテルコップを持っているとき、果汁又はお酒が手に与えた影響を感じやすく、それによりカクテルを味わうことに影響を与える。
【先行技術文献】
【特許文献】
【０００３】
【特許文献１】中国特許出願公開第106667192号明細書
【発明の概要】
【発明が解決しようとする課題】
【０００４】
本発明はカクテルコップを提供し、既存技術にある上記の欠点を解消することを目的とする。
【課題を解決するための手段】
【０００５】
上記の目的を実現するため、本発明は以下の技術プランを提供する：カクテルコップは、コップ主体とお酒を入れることができる入れチャンバを含み、前記入れチャンバの下端壁には上方に開口した気圧チャンバが設置され、前記気圧チャンバの中には前記気圧チャンバと前記入れチャンバとの連係を遮断する隔て膜が設置され、前記気圧チャンバの左端壁の中には移動溝が設置され、前記移動溝の中には移動板が設置され、また前記移動溝の中には前記移動板を復帰させることができる移動ばねが設置され、前記移動溝の下端壁の中には触発ブロックが設置され、前記コップ主体の中には流れガイド機構が設置され、前記流れガイド機構は上端が前記コップ主体と連結された環状膜を含み、前記コップ主体の中には外部空間と連通している四つの回転チャンバが設置され、前記回転チャンバの中には上端が前記環状膜の下端と連結された回転ロッドが設置され、前記回転チャンバの片側端壁の中には回転溝に連通している持ち上げ溝が設置され、前記持ち上げ溝の中には持ち上げ板と前記持ち上げ板を復帰連動させることができる昇降ばねとが設置され、前記持ち上げ溝の片側端壁の中には押し出しチャンバが設置され、前記押し出しチャンバの中には前記回転ロッドの上端を外側へ押し出すことができる押し出しロッドが設置され、前記持ち上げ板の中には前記押し出しロッドに貫通されることができる貫通穴が設置され、前記環状膜の上側には上下端がいずれも外部空間に連通しており、且つ下端が前記コップ主体の下側の空間にと連通している流れガイドパイプが設置され、前記コップ主体の中にはまた前記流れガイド機構を運動させることを制御できる昇降機構が設置され、前記昇降機構は前記回転チャンバの下端壁の中に位置しており、また上方に開口した昇降チャンバを含み、前記昇降チャンバの中には上端が前記回転チャンバの中に位置している昇降ブロックが設置され、前記昇降ブロックの中には前記昇降チャンバに連通しているばね溝が設置され、前記ばね溝の中には位置制限板と前記位置制限板を復帰させることができる位置制限ばねとが設置され、前記昇降ブロックの下端には下押し板が固定的に連結され、前記昇降チャンバの下端壁の中には回転チャンバが設置され、前記下押し板の下端には下端が前記回転チャンバの中に位置している下押しロッドが固定され、前記回転チャンバの前後端壁の間には回転軸が固定的に連結され、前記回転軸にはトーションばねによって連結されたロールが設置され、前記ロールにはロープが巻き付いており、前記ロープの一端が前記下押しロッドの下端に下方へ押された後に前記押し出しロッドの一端と連結され、装置の作用は、前記昇降機構が前記回転ロッドを制御して外側へ押し出し、それにより前記環状膜が外側へ広まり、上側のコップの壁から残された液体が下方へ流れ続けることを防止することである。
【０００６】
好ましくは、前記流れガイド機構はまた前記昇降ブロックの上端と連結された昇降板を含み、前記昇降板の上端には前記回転ロッドの下端を収納する回転溝が設置され、前記回転溝の前後端壁の間には前記回転ロッドを貫通しており、且つ前記回転ロッドと回転できるように連結された一つの回転軸が回転できるように連結され、前記昇降板の片側端面が前記持ち上げ板の片側端面と摩擦によって連結され、前記押し出しチャンバの中には電磁ブロックが設置され、前記流れガイド機構の作用は前記コップ主体の上側からコップの壁に沿って滴り落ちる液体を前記流れガイドパイプを経由して底部に流し、前記コップ主体の中段に影響を与えないことである。
【０００７】
好ましくは、前記昇降機構はまた前記昇降チャンバの片側端壁の中に位置している持ち上げチャンバを含み、前記持ち上げチャンバの下端壁には前記触発ブロックに制御される電磁石が設置され、前記電磁石の上側には一端が前記昇降ブロックと固定的に連結された磁石が設置され、前記昇降機構の作用は前記電磁石の制御の下で前記昇降ブロックを制御して上昇させることである。
【発明の効果】
【０００８】
以上により、本発明の有益な効果は：本装置は構造が簡単であり、操作が便利であり、お酒又はカクテルコップに嵌められた果物が残した果汁を直接に一番下側にガイドして流れさせることができ、カクテルコップの手で持っているところを通さなく、使用者がコップを持つ時に果汁又はお酒によって手に与えられた影響を感じないことができ、それによりカクテルを味わうことに影響を及ぼさない。
【図面の簡単な説明】
【０００９】
本発明の実施例又は既存技術の技術策を詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のカクテルコップ全体全断面の正面構造略図
【図２】図２は本発明のカクテルコップ全体全断面の左面構造略図
【図３】図３は本発明のカクテルコップの回転ロッドのところの構造の全断面の左面拡大略図
【図４】図４は本発明のカクテルコップの回転チャンバのところの構造の全断面の正面拡大略図
【図５】図５は本発明のカクテルコップの昇降機構の局部断面の正面拡大略図
【図６】図６は本発明のカクテルコップの流れガイド機構の局部断面の正面拡大略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜６に示すように、本発明の実施例は：カクテルコップであり、コップ主体１とお酒を入れることができる入れチャンバ２を含み、前記入れチャンバ２の下端壁には上方に開口した気圧チャンバ２６が設置され、前記気圧チャンバ２６の中には前記気圧チャンバ２６と前記入れチャンバ２との連係を遮断する隔て膜７が設置され、前記気圧チャンバ２６の左端壁の中には移動溝６が設置され、前記移動溝６の中には移動板５が設置され、また前記移動溝６の中には前記移動板５を復帰させることができる移動ばね４が設置され、前記移動溝６の下端壁の中には触発ブロック８が設置され、前記コップ主体１の中には流れガイド機構３９が設置され、前記流れガイド機構３９は上端が前記コップ主体１と連結された環状膜２４を含み、前記コップ主体１の中には外部空間と連通している四つの回転チャンバ３が設置され、前記回転チャンバ３の中には上端が前記環状膜２４の下端と連結された回転ロッド１３が設置され、前記回転チャンバ３の片側端壁の中には回転溝１４に連通している持ち上げ溝２３が設置され、前記持ち上げ溝２３の中には持ち上げ板１１と前記持ち上げ板１１を復帰連動させることができる昇降ばね１０とが設置され、前記持ち上げ溝２３の片側端壁の中には押し出しチャンバ９が設置され、前記押し出しチャンバ９の中には前記回転ロッド１３の上端を外側へ押し出すことができる押し出しロッド２２が設置され、前記持ち上げ板１１の中には前記押し出しロッド２２に貫通されることができる貫通穴１２が設置され、前記環状膜２４の上側には上下端がいずれも外部空間に連通しており、且つ下端が前記コップ主体１の下側の空間にと連通している流れガイドパイプ２５が設置され、前記コップ主体１の中にはまた前記流れガイド機構３９を運動させることを制御できる昇降機構３８が設置され、前記昇降機構３８は前記回転チャンバ３の下端壁の中に位置しており、また上方に開口した昇降チャンバ２７を含み、前記昇降チャンバ２７の中には上端が前記回転チャンバ３の中に位置している昇降ブロック１８が設置され、前記昇降ブロック１８の中には前記昇降チャンバ２７に連通しているばね溝４０が設置され、前記ばね溝４０の中には位置制限板１５と前記位置制限板１５を復帰させることができる位置制限ばね３６とが設置され、前記昇降ブロック１８の下端には下押し板２８が固定的に連結され、前記昇降チャンバ２７の下端壁の中には回転チャンバ３０が設置され、前記下押し板２８の下端には下端が前記回転チャンバ３０の中に位置している下押しロッド３５が固定され、前記回転チャンバ３０の前後端壁の間には回転軸３３が固定的に連結され、前記回転軸３３にはトーションばね３４によって連結されたロール３２が設置され、前記ロール３２にはロープ３１が巻き付いており、前記ロープ３１の一端が前記下押しロッド３５の下端に下方へ押された後に前記押し出しロッド２２の一端と連結され、装置の作用は、前記昇降機構３８が前記回転ロッド１３を制御して外側へ押し出し、それにより前記環状膜２４が外側へ広まり、上側のコップの壁から残された液体が下方へ流れ続けることを防止することである。
【００１３】
有益的には、前記流れガイド機構３９はまた前記昇降ブロック１８の上端と連結された昇降板２０を含み、前記昇降板２０の上端には前記回転ロッド１３の下端を収納する回転溝１４が設置され、前記回転溝１４の前後端壁の間には前記回転ロッド１３を貫通しており、且つ前記回転ロッド１３と回転できるように連結された一つの回転軸２１が回転できるように連結され、前記昇降板２０の片側端面が前記持ち上げ板１１の片側端面と摩擦によって連結され、前記押し出しチャンバ９の中には電磁ブロック４０が設置され、前記流れガイド機構３９の作用は前記コップ主体１の上側からコップの壁に沿って滴り落ちる液体を前記流れガイドパイプ２５を経由して底部に流し、前記コップ主体１の中段に影響を与えないことである。
【００１４】
有益的には、前記昇降機構３８はまた前記昇降チャンバ２７の片側端壁の中に位置している持ち上げチャンバ１９を含み、前記持ち上げチャンバ１９の下端壁には前記触発ブロック８に制御される電磁石１７が設置され、前記電磁石１７の上側には一端が前記昇降ブロック１８と固定的に連結された磁石１６が設置され、前記昇降機構３８の作用は前記電磁石１７の制御の下で前記昇降ブロック１８を制御して上昇させることである。
【００１５】
下記には、出願人は付図１〜６と以上に説明した本出願のカクテルコップの具体的な構成を参考し、本出願のカクテルコップの使い方を詳しく紹介する：
【００１６】
入れチャンバ２の中にカクテルを十分に入れ、また果物をコップ主体１の上端の壁に嵌めた後、隔て膜７が水圧を受けて下方へ曲がり、それにより気圧チャンバ２５の中の気圧を変え、それにより移動板５を移動させて触発ブロック８と接触させ、移動ばね４が圧縮され、触発ブロック８が前記電磁石１７と電磁ブロック４１とを制御して作動させ、電磁石１７と前記磁石１６と抵抗し合い、それにより昇降ブロック１８を上方へ運動連動させ、それにより昇降板２０と持ち上げ板１１とを上方へ運動させ、昇降ブロック１８が運動しているときに下押し板２８と下押しロッド３５とがロープ３１に対しての下方への圧力が減少し、持ち上げ板１１が貫通穴１２と押し出しロッド２２と同じ水平線に位置するまで上昇した後、押し出しロッド２２が押し出しばね３７と電磁ブロック４１との作用の下で片側へ運動し、それにより回転ロッド１３の上端を外側へ押し出し、昇降板２０が上方へ運動するため、回転ロッド１３の上端が環状膜２４の下端を連動させて外側へひっくり返し、また環状膜２４の下端が位置している高度は環状膜２４の上端が位置している高度より高く、それによりコップ主体１の上側からコップの壁に沿って残された液体が環状膜２４の隔てによって、流れガイドパイプ２５を通して他所に流れ、同時に昇降ブロック１８の中の位置制限板１５が完全に回転チャンバ３の中に位置した後、位置制限板１５が位置制限ばね３６の作用の下で押し出され、位置制限板１５は昇降板２０が離れた後の空間を補い、コップ主体１を持つ感じに影響を与えない。
【００１７】
装置を復帰させるとき、内側へ位置制限板１５を押し、隔て膜７が復帰した後、移動板５が触発ブロック８と分離し、電磁石１７と電磁ブロック４１とが作動しなく、昇降ブロック１８が下降し、回転ロッド１３と昇降板２０とが復帰し、押し出しロッド２２の一端を貫通穴１２の中に位置させ、昇降ブロック１８が復帰した後に下押しロッド３５が復帰し、それにより回転チャンバ３０の中の一端のロープ３１を曲げ、それにより押し出しロッド２２を復帰させ、それにより持ち上げ板１１を復帰させ、装置が復帰する。
【００１８】
本発明の有益な効果は：本装置は構造が簡単であり、操作が便利であり、お酒又はカクテルコップに嵌められた果物が残した果汁を直接に一番下側にガイドして流れさせることができ、カクテルコップの手で持っているところを通さなく、使用者がコップを持つ時に果汁又はお酒によって手に与えられた影響を感じないことができ、それによりカクテルを味わうことに影響を及ぼさない。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020175160.tif 000003
【図２】
2020175160.tif 000004
【図３】
2020175160.tif 000005
【図４】
2020175160.tif 000006
【図５】
2020175160.tif 000007
【図６】
2020175160.tif 000008
【手続補正書】
【提出日】令和1年12月10日(2019.12.10)
【手続補正１】
【補正対象書類名】特許請求の範囲
【補正対象項目名】請求項１
【補正方法】変更
【補正の内容】
【請求項１】
正面視で、コップ主体とお酒を入れることができる入れチャンバを含み、前記入れチャンバの下端壁には上方に開口した気圧チャンバが設置され、前記気圧チャンバの中には前記気圧チャンバと前記入れチャンバとの連係を遮断する隔て膜７が設置され、前記気圧チャンバの左端壁の中には移動溝が設置され、前記移動溝の中には移動板が設置され、また前記移動溝の中には前記移動板を復帰させることができる移動ばねが設置され、前記移動溝の下端壁の中には触発ブロックが設置され、前記コップ主体の中には流れガイド機構が設置され、前記流れガイド機構は上端が前記コップ主体と連結された環状膜を含み、前記コップ主体の中には外部空間と連通している四つの回転チャンバが設置され、前記回転チャンバの中には上端が前記環状膜の下端と連結された回転ロッドが設置され、前記回転チャンバの片側端壁の中には回転溝に連通している持ち上げ溝が設置され、前記持ち上げ溝の中には持ち上げ板と前記持ち上げ板を復帰連動させることができる昇降ばねとが設置され、前記持ち上げ溝の片側端壁の中には押し出しチャンバが設置され、前記押し出しチャンバの中には前記回転ロッドの上端を外側へ押し出すことができる押し出しロッドが設置され、前記持ち上げ板の中には前記押し出しロッドに貫通されることができる貫通穴が設置され、前記環状膜の上側には上下端がいずれも外部空間に連通しており、且つ下端が前記コップ主体の下側の空間にと連通している流れガイドパイプが設置され、前記コップ主体の中にはまた前記流れガイド機構を運動させることを制御できる昇降機構が設置され、前記昇降機構は前記回転チャンバの下端壁の中に位置しており、また上方に開口した昇降チャンバを含み、前記昇降チャンバの中には上端が前記回転チャンバの中に位置している昇降ブロックが設置され、前記昇降ブロックの中には前記昇降チャンバに連通しているばね溝が設置され、前記ばね溝の中には位置制限板と前記位置制限板を復帰させることができる位置制限ばねとが設置され、前記昇降ブロックの下端には下押し板が固定的に連結され、前記昇降チャンバの下端壁の中には回転チャンバが設置され、前記下押し板の下端には下端が前記回転チャンバの中に位置している下押しロッドが固定され、前記回転チャンバの前後端壁の間には回転軸が固定的に連結され、前記回転軸にはトーションばねによって連結されたロールが設置され、前記ロールにはロープが巻き付いており、前記ロープの一端が前記押し出しロッドの一端と連結された構成であり、前記下押しロッドにより前記ロープが下方へ押されると、前記押し出しロッドが前記ロープに引っ張られて前記押し出しチャンバ内における初期位置に復帰し、装置の作用は、前記昇降機構が前記回転ロッドを制御して外側へ押し出し、それにより前記環状膜が外側へ広まり、上側のコップの壁から残された液体が下方へ流れ続けることを防止することであることを特徴とするカクテルコップ。 
【手続補正２】
【補正対象書類名】明細書
【補正対象項目名】全文
【補正方法】変更
【補正の内容】
【発明の詳細な説明】
【技術分野】
【０００１】
本発明はコップ分野に関わり、具体的にはカクテルコップである。 
【背景技術】
【０００２】
今の段階には、カクテルを飲むとき、常にカクテルコップの壁に果物が嵌めてあり、ある果物はコップの壁に沿ってその果汁が滴り落ち、時にはお酒もコップの壁に残り、人々はカクテルコップを持っているとき、果汁又はお酒が手に与えた影響を感じやすく、それによりカクテルを味わうことに影響を与える。 
【先行技術文献】
【特許文献】
【０００３】
【特許文献１】中国特許出願公開第106667192号明細書
【発明の概要】
【発明が解決しようとする課題】
【０００４】
本発明はカクテルコップを提供し、既存技術にある上記の欠点を解消することを目的とする。
【課題を解決するための手段】
【０００５】
上記の目的を実現するため、本発明は以下の技術プランを提供する：カクテルコップは、コップ主体とお酒を入れることができる入れチャンバを含み、前記入れチャンバの下端壁には上方に開口した気圧チャンバが設置され、前記気圧チャンバの中には前記気圧チャンバと前記入れチャンバとの連係を遮断する隔て膜が設置され、前記気圧チャンバの左端壁の中には移動溝が設置され、前記移動溝の中には移動板が設置され、また前記移動溝の中には前記移動板を復帰させることができる移動ばねが設置され、前記移動溝の下端壁の中には触発ブロックが設置され、前記コップ主体の中には流れガイド機構が設置され、前記流れガイド機構は上端が前記コップ主体と連結された環状膜を含み、前記コップ主体の中には外部空間と連通している四つの回転チャンバが設置され、前記回転チャンバの中には上端が前記環状膜の下端と連結された回転ロッドが設置され、前記回転チャンバの片側端壁の中には回転溝に連通している持ち上げ溝が設置され、前記持ち上げ溝の中には持ち上げ板と前記持ち上げ板を復帰連動させることができる昇降ばねとが設置され、前記持ち上げ溝の片側端壁の中には押し出しチャンバが設置され、前記押し出しチャンバの中には前記回転ロッドの上端を外側へ押し出すことができる押し出しロッドが設置され、前記持ち上げ板の中には前記押し出しロッドに貫通されることができる貫通穴が設置され、前記環状膜の上側には上下端がいずれも外部空間に連通しており、且つ下端が前記コップ主体の下側の空間にと連通している流れガイドパイプが設置され、前記コップ主体の中にはまた前記流れガイド機構を運動させることを制御できる昇降機構が設置され、前記昇降機構は前記回転チャンバの下端壁の中に位置しており、また上方に開口した昇降チャンバを含み、前記昇降チャンバの中には上端が前記回転チャンバの中に位置している昇降ブロックが設置され、前記昇降ブロックの中には前記昇降チャンバに連通しているばね溝が設置され、前記ばね溝の中には位置制限板と前記位置制限板を復帰させることができる位置制限ばねとが設置され、前記昇降ブロックの下端には下押し板が固定的に連結され、前記昇降チャンバの下端壁の中には回転チャンバが設置され、前記下押し板の下端には下端が前記回転チャンバの中に位置している下押しロッドが固定され、前記回転チャンバの前後端壁の間には回転軸が固定的に連結され、前記回転軸にはトーションばねによって連結されたロールが設置され、前記ロールにはロープが巻き付いており、前記ロープの一端が前記押し出しロッドの一端と連結された構成であり、前記下押しロッドにより前記ロープが下方へ押されると、前記押し出しロッドが前記ロープに引っ張られて前記押し出しチャンバ内における初期位置に復帰し、装置の作用は、前記昇降機構が前記回転ロッドを制御して外側へ押し出し、それにより前記環状膜が外側へ広まり、上側のコップの壁から残された液体が下方へ流れ続けることを防止することである。 
【０００６】
好ましくは、前記流れガイド機構はまた前記昇降ブロックの上端と連結された昇降板を含み、前記昇降板の上端には前記回転ロッドの下端を収納する回転溝が設置され、前記回転溝の前後端壁の間には前記回転ロッドを貫通しており、且つ前記回転ロッドと回転できるように連結された一つの回転軸が回転できるように連結され、前記昇降板の片側端面が前記持ち上げ板の片側端面と摩擦によって連結され、前記押し出しチャンバの中には電磁ブロックが設置され、前記流れガイド機構の作用は前記コップ主体の上側からコップの壁に沿って滴り落ちる液体を前記流れガイドパイプを経由して底部に流し、前記コップ主体の中段に影響を与えないことである。 
【０００７】
好ましくは、前記昇降機構はまた前記昇降チャンバの片側端壁の中に位置している持ち上げチャンバを含み、前記持ち上げチャンバの下端壁には前記触発ブロックに制御される電磁石が設置され、前記電磁石の上側には一端が前記昇降ブロックと固定的に連結された磁石が設置され、前記昇降機構の作用は前記電磁石の制御の下で前記昇降ブロックを制御して上昇させることである。 
【発明の効果】
【０００８】
以上により、本発明の有益な効果は：本装置は構造が簡単であり、操作が便利であり、お酒又はカクテルコップに嵌められた果物が残した果汁を直接に一番下側にガイドして流れさせることができ、カクテルコップの手で持っているところを通さなく、使用者がコップを持つ時に果汁又はお酒によって手に与えられた影響を感じないことができ、それによりカクテルを味わうことに影響を及ぼさない。 
【図面の簡単な説明】
【０００９】
本発明の実施例又は既存技術の技術策を詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１０】
【図１】図１は本発明のカクテルコップ全体全断面の正面構造略図
【図２】図２は本発明のカクテルコップ全体全断面の左面構造略図
【図３】図３は本発明のカクテルコップの回転ロッドのところの構造の全断面の左面拡大略図
【図４】図４は本発明のカクテルコップの回転チャンバのところの構造の全断面の正面拡大略図
【図５】図５は本発明のカクテルコップの昇降機構の局部断面の正面拡大略図
【図６】図６は本発明のカクテルコップの流れガイド機構の局部断面の正面拡大略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。 
【００１２】
図１〜６に示すように、本発明の実施例は：カクテルコップであり、コップ主体１とお酒を入れることができる入れチャンバ２を含み、前記入れチャンバ２の下端壁には上方に開口した気圧チャンバ２６が設置され、前記気圧チャンバ２６の中には前記気圧チャンバ２６と前記入れチャンバ２との連係を遮断する隔て膜７が設置され、前記気圧チャンバ２６の左端壁の中には移動溝６が設置され、前記移動溝６の中には移動板５が設置され、また前記移動溝６の中には前記移動板５を復帰させることができる移動ばね４が設置され、前記移動溝６の下端壁の中には触発ブロック８が設置され、前記コップ主体１の中には流れガイド機構３９が設置され、前記流れガイド機構３９は上端が前記コップ主体１と連結された環状膜２４を含み、前記コップ主体１の中には外部空間と連通している四つの回転チャンバ３が設置され、前記回転チャンバ３の中には上端が前記環状膜２４の下端と連結された回転ロッド１３が設置され、前記回転チャンバ３の片側端壁の中には回転溝１４に連通している持ち上げ溝２３が設置され、前記持ち上げ溝２３の中には持ち上げ板１１と前記持ち上げ板１１を復帰連動させることができる昇降ばね１０とが設置され、前記持ち上げ溝２３の片側端壁の中には押し出しチャンバ９が設置され、前記押し出しチャンバ９の中には前記回転ロッド１３の上端を外側へ押し出すことができる押し出しロッド２２が設置され、前記持ち上げ板１１の中には前記押し出しロッド２２に貫通されることができる貫通穴１２が設置され、前記環状膜２４の上側には上下端がいずれも外部空間に連通しており、且つ下端が前記コップ主体１の下側の空間にと連通している流れガイドパイプ２５が設置され、前記コップ主体１の中にはまた前記流れガイド機構３９を運動させることを制御できる昇降機構３８が設置され、前記昇降機構３８は前記回転チャンバ３の下端壁の中に位置しており、また上方に開口した昇降チャンバ２７を含み、前記昇降チャンバ２７の中には上端が前記回転チャンバ３の中に位置している昇降ブロック１８が設置され、前記昇降ブロック１８の中には前記昇降チャンバ２７に連通しているばね溝４０が設置され、前記ばね溝４０の中には位置制限板１５と前記位置制限板１５を復帰させることができる位置制限ばね３６とが設置され、前記昇降ブロック１８の下端には下押し板２８が固定的に連結され、前記昇降チャンバ２７の下端壁の中には回転チャンバ３０が設置され、前記下押し板２８の下端には下端が前記回転チャンバ３０の中に位置している下押しロッド３５が固定され、前記回転チャンバ３０の前後端壁の間には回転軸３３が固定的に連結され、前記回転軸３３にはトーションばね３４によって連結されたロール３２が設置され、前記ロール３２にはロープ３１が巻き付いており、前記ロープ３１の一端が前記押し出しロッド２２の一端と連結された構成であり、前記下押しロッド３５により前記ロープ３１が下方へ押されると、前記押し出しロッド２２が前記ロープ３１に引っ張られて前記押し出しチャンバ９内における初期位置に復帰し、装置の作用は、前記昇降機構３８が前記回転ロッド１３を制御して外側へ押し出し、それにより前記環状膜２４が外側へ広まり、上側のコップの壁から残された液体が下方へ流れ続けることを防止することである。 
【００１３】
有益的には、前記流れガイド機構３９はまた前記昇降ブロック１８の上端と連結された昇降板２０を含み、前記昇降板２０の上端には前記回転ロッド１３の下端を収納する回転溝１４が設置され、前記回転溝１４の前後端壁の間には前記回転ロッド１３を貫通しており、且つ前記回転ロッド１３と回転できるように連結された一つの回転軸２１が回転できるように連結され、前記昇降板２０の片側端面が前記持ち上げ板１１の片側端面と摩擦によって連結され、前記押し出しチャンバ９の中には電磁ブロック８０が設置され、前記流れガイド機構３９の作用は前記コップ主体１の上側からコップの壁に沿って滴り落ちる液体を前記流れガイドパイプ２５を経由して底部に流し、前記コップ主体１の中段に影響を与えないことである。 
【００１４】
有益的には、前記昇降機構３８はまた前記昇降チャンバ２７の片側端壁の中に位置している持ち上げチャンバ１９を含み、前記持ち上げチャンバ１９の下端壁には前記触発ブロック８に制御される電磁石１７が設置され、前記電磁石１７の上側には一端が前記昇降ブロック１８と固定的に連結された磁石１６が設置され、前記昇降機構３８の作用は前記電磁石１７の制御の下で前記昇降ブロック１８を制御して上昇させることである。 
【００１５】
下記には、出願人は付図１〜６と以上に説明した本出願のカクテルコップの具体的な構成を参考し、本出願のカクテルコップの使い方を詳しく紹介する： 
【００１６】
入れチャンバ２の中にカクテルを十分に入れ、また果物をコップ主体１の上端の壁に嵌めた後、隔て膜７が水圧を受けて下方へ曲がり、それにより気圧チャンバ２６の中の気圧を変え、それにより移動板５を移動させて触発ブロック８と接触させ、移動ばね４が圧縮され、触発ブロック８が前記電磁石１７と電磁ブロック８０とを制御して作動させ、電磁石１７と前記磁石１６と抵抗し合い、それにより昇降ブロック１８を上方へ運動連動させ、それにより昇降板２０と持ち上げ板１１とを上方へ運動させ、昇降ブロック１８が運動しているときに下押し板２８と下押しロッド３５とがロープ３１に対しての下方への圧力が減少し、持ち上げ板１１が貫通穴１２と押し出しロッド２２と同じ水平線に位置するまで上昇した後、押し出しロッド２２が押し出しばね３７と電磁ブロック８０との作用の下で片側へ運動し、それにより回転ロッド１３の上端を外側へ押し出し、昇降板２０が上方へ運動するため、回転ロッド１３の上端が環状膜２４の下端を連動させて外側へひっくり返し、また環状膜２４の下端が位置している高度は環状膜２４の上端が位置している高度より高く、それによりコップ主体１の上側からコップの壁に沿って残された液体が環状膜２４の隔てによって、流れガイドパイプ２５を通して他所に流れ、同時に昇降ブロック１８の中の位置制限板１５が完全に回転チャンバ３の中に位置した後、位置制限板１５が位置制限ばね３６の作用の下で押し出され、位置制限板１５は昇降板２０が離れた後の空間を補い、コップ主体１を持つ感じに影響を与えない。 
【００１７】
装置を復帰させるとき、内側へ位置制限板１５を押し、隔て膜７が復帰した後、移動板５が触発ブロック８と分離し、電磁石１７と電磁ブロック８０とが作動しなく、昇降ブロック１８が下降し、回転ロッド１３と昇降板２０とが復帰し、押し出しロッド２２の一端を貫通穴１２の中に位置させ、昇降ブロック１８が復帰した後に下押しロッド３５が復帰し、それにより回転チャンバ３０の中の一端のロープ３１を曲げ、それにより押し出しロッド２２を復帰させ、それにより持ち上げ板１１を復帰させ、装置が復帰する。 
【００１８】
本発明の有益な効果は：本装置は構造が簡単であり、操作が便利であり、お酒又はカクテルコップに嵌められた果物が残した果汁を直接に一番下側にガイドして流れさせることができ、カクテルコップの手で持っているところを通さなく、使用者がコップを持つ時に果汁又はお酒によって手に与えられた影響を感じないことができ、それによりカクテルを味わうことに影響を及ぼさない。 
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【手続補正３】
【補正対象書類名】図面
【補正対象項目名】図６
【補正方法】変更
【補正の内容】
【図６】
2020175160.tif 000009